(57)【特許請求の範囲】
【請求項１】
自動車用蓄電池を有する自動車を積載して所定の出港地から所定の入港地まで運搬する自動車運搬船における電力マネジメントシステムであって、
前記自動車運搬船に設置された船舶用蓄電池の充電量および前記自動車用蓄電池の充電量を監視するとともに、これら船舶用蓄電池および自動車用蓄電池の充電および放電を制御する充放電制御装置と、
前記自動車運搬船における需要電力量を監視する需要電力量監視装置と、
前記自動車運搬船における発電量を監視する発電量監視装置と、
前記自動車運搬船の予定航行経路および現在位置から、該自動車運搬船の前記入港地までの残余航行距離を算出する残余航行距離算出装置と、
前記充放電制御装置によって監視された前記船舶用蓄電池および前記自動車用蓄電池の充電量と、前記需要電力量監視装置によって監視された前記自動車運搬船における需要電力量と、前記発電量監視装置によって監視された前記自動車運搬船における発電量と、前記残余航行距離算出装置によって算出された前記残余航行距離とに応じて、前記充放電制御装置に対して前記船舶用蓄電池および前記自動車用蓄電池の充電または放電を行うように指令を発する電力マネジメント装置と
を備えることを特徴とする自動車運搬船における電力マネジメントシステム。
【請求項２】
前記自動車運搬船は、該自動車運搬船のメインエンジンの排熱を回収して発電する排熱回収発電機を有しており、
前記発電量監視装置によって監視される前記自動車運搬船における発電量には、前記排熱回収発電機によって発電された発電量が含まれることを特徴とする請求項１に記載の自動車運搬船における電力マネジメントシステム。
【請求項３】
前記自動車運搬船は、前記メインエンジンとは独立して構成された内燃機関発電機を有しており、
前記発電量監視装置によって監視される前記自動車運搬船における発電量には、前記内燃機関発電機によって発電された発電量が含まれることを特徴とする請求項１または２に記載の自動車運搬船における電力マネジメントシステム。
【請求項４】
前記内燃機関発電機の発電量を制御する発電量制御装置をさらに備え、
前記電力マネジメント装置は、前記充放電制御装置によって監視された前記船舶用蓄電池および前記自動車用蓄電池の充電量と、前記需要電力量監視装置によって監視された前記自動車運搬船における需要電力量と、前記発電量監視装置によって監視された前記自動車運搬船における発電量と、前記残余航行距離算出装置によって算出された前記残余航行距離とに応じて、前記発電量制御装置に対して前記内燃機関発電機の発電量を調整するように指令を発することを特徴とする請求項３に記載の自動車運搬船における電力マネジメントシステム。
【請求項５】
前記自動車運搬船は、自然エネルギーを利用して発電する自然エネルギー発電機を有しており、
前記発電量監視装置によって監視される前記自動車運搬船における発電量には、前記自然エネルギー発電機によって発電された発電量が含まれることを特徴とする請求項１から４のいずれかに記載の自動車運搬船における電力マネジメントシステム。
【請求項６】
前記残余航行距離算出装置によって算出された前記残余航行距離が所定距離よりも大きく、かつ、前記需要電力量監視装置によって監視された前記自動車運搬船における前記需用電力量が所定値を上回っているとき、前記電力マネジメント装置は、前記充放電制御装置に対して、前記船舶用蓄電池および前記自動車用蓄電池の放電を無制限に許可する指令を発することを特徴とする請求項１から５のいずれかに記載の自動車運搬船における電力マネジメントシステム。
【請求項７】
前記残余航行距離算出装置によって算出された前記残余航行距離が所定距離よりも大きく、かつ、前記需要電力量監視装置によって監視された前記自動車運搬船における前記需用電力量が所定値を上回っているとき、前記電力マネジメント装置は、前記充放電制御装置に対して、前記船舶用蓄電池および前記自動車用蓄電池の放電を、前記船舶用蓄電池の放電を前記自動車用蓄電池の放電よりも優先しつつ、無制限に許可する指令を発することを特徴とする請求項１から５のいずれかに記載の自動車運搬船における電力マネジメントシステム。
【請求項８】
前記残余航行距離算出装置によって算出された前記残余航行距離が前記所定距離よりも大きく、かつ、前記電力マネジメント装置が、前記充放電制御装置に対して、前記船舶用蓄電池および前記自動車用蓄電池を充電する指令を発するときは、前記船舶用蓄電池の充電を前記自動車用蓄電池の充電よりも優先して行うようにすることを特徴とする請求項１から７のいずれかに記載の自動車運搬船における電力マネジメントシステム。
【請求項９】
前記自動車運搬船は、電力により駆動されて前記メインエンジンを加勢する軸発電機モータを有しており、
前記残余航行距離算出装置によって算出された前記残余航行距離が０よりは十分大きく、前記発電量監視装置によって監視された前記自動車運搬船における発電量が、前記需要電力量監視装置によって監視された前記自動車運搬船における前記需用電力量を上回り、かつ、前記船舶用蓄電池および前記自動車用蓄電池の充電量が上限に達しているとき、前記電力マネジメント装置は、前記軸発電機モータを作動させることによって前記需要電力量を増加させ、該需要電力量を前記自動車運搬船における発電量と釣り合わせることを特徴とする請求項１から８のいずれかに記載の自動車運搬船における電力マネジメントシステム。
【請求項１０】
前記残余航行距離算出装置によって算出された前記残余航行距離が前記所定距離以下であるが０よりは十分大きいとき、前記電力マネジメント装置は、前記充放電制御装置に対して、前記船舶用蓄電池および前記自動車用蓄電池の放電を禁止し、前記船舶用蓄電池および前記自動車用蓄電池を専ら充電する指令を発することを特徴とする請求項１から９のいずれかに記載の自動車運搬船における電力マネジメントシステム。
【請求項１１】
前記残余航行距離算出装置によって算出された前記残余航行距離が前記所定距離以下であるが０よりは十分大きいとき、前記電力マネジメント装置は、前記充放電制御装置に対して、前記船舶用蓄電池および前記自動車用蓄電池の放電を禁止し、前記船舶用蓄電池および前記自動車用蓄電池の充電を、前記自動車用蓄電池の充電を前記船舶用蓄電池の充電よりも優先しつつ行うように指令を発することを特徴とする請求項１から９のいずれかに記載の自動車運搬船における電力マネジメントシステム。
【請求項１２】
前記残余航行距離算出装置によって算出された前記残余航行距離がほぼ０であり、かつ、前記需要電力量監視装置によって監視された前記自動車運搬船における前記需用電力量が所定値を上回っているとき、前記電力マネジメント装置は、前記充放電制御装置に対して、前記船舶用蓄電池の無制限の放電および前記自動車用蓄電池の充電量が所定の下限充電量に至るまでの放電を許可する指令を発することを特徴とする請求項１から１１のいずれかに記載の自動車運搬船における電力マネジメントシステム。
【請求項１３】
請求項１から１２のいずれかに記載の自動車運搬船における電力マネジメントシステムを備えた自動車運搬船。
【発明の詳細な説明】
【技術分野】
【０００１】
本発明は、主として走行用の電力を蓄える蓄電池を有する自動車を積載して運搬する自動車運搬船における電力マネジメントシステム、および該電力マネジメントシステムを備えた自動車運搬船に関するものである。
【背景技術】
【０００２】
近年、環境に与える負荷を軽減する目的で、ハイブリッド自動車や電気自動車等、走行用の電力を蓄える蓄電池を有する自動車が生産されるようになってきている。このため、自動車運搬船が運搬する自動車も、このような比較的大容量の蓄電池を有する自動車になってきている。
また、自動車運搬船自体も、燃料消費量やＣＯ２排出量を減少すべく、太陽光発電パネルを搭載したものや、メインエンジンからの排ガスの熱を利用して生成した蒸気によって蒸気タービンを駆動して発電する排熱回収発電システムを備えたもの等が登場してきている（例えば特許文献１参照）。
【先行技術文献】
【特許文献】
【０００３】
【特許文献１】特開２００７−１３３９号公報（図１参照）
【発明の概要】
【発明が解決しようとする課題】
【０００４】
ここで、太陽光発電パネルによる発電量は天候により変化し、排熱回収発電システムによる発電量も、メインエンジンの運転状況に応じて変化する。また、自動車運搬船における需要電力量も、自動車運搬船の巡航時には比較的小さく、入港時、荷役時、出港時には比較的大きくなる等、一定ではない。
船舶には一般的に蓄電池が設けられているので、発電量が需要電力量を上回るときに余剰電力を蓄電池に蓄えておき、その後発電量が需要電力量を下回った時に、蓄電池に蓄えておいた電力を使用することで、電力を効率的に使用することができる。
【０００５】
太陽光発電パネルや排熱回収発電システムの発電量の変化や、自動車運搬船の需要電力量の変化に十分対応するためには、蓄電池の蓄電容量をかなり大きく設定する必要がある。しかし、蓄電池の蓄電容量を大きく設定すると、蓄電池に要するコストが増大するだけでなく、蓄電池の寸法が大きくなるため、蓄電池の設置スペースによって自動車運搬船の荷役スペースが小さくなってしまう弊害がある。
【０００６】
そこで、自動車運搬船に積載された自動車の有する蓄電池を、自動車運搬船の航行中に、自動車運搬船の蓄電池の一部として使用することが考えられる。しかし、走行用の電力を蓄える蓄電池を有する自動車を積載して運搬する自動車運搬船において、自動車の有する蓄電池をそのまま自動車運搬船の蓄電池の一部として使用すると、自動車運搬船が入港地に到着した時点で、自動車運搬船から自動車を積み降ろすために自動車を自走させるのに必要な充電量が、自動車の蓄電池に残されていないという事態が生じる恐れがある。
【０００７】
本発明は、このような事情に鑑みてなされたものであって、主として走行用の電力を蓄える蓄電池を有する自動車を積載して運搬する自動車運搬船において、自動車の有する蓄電池を自動車運搬船の蓄電池の一部として利用しつつも、自動車運搬船が入港地に到着した時点で、自動車の蓄電池に蓄えられる充電量を一定以上確保することのできる、自動車運搬船における電力マネジメントシステム、およびこれを備えた自動車運搬船を提供することを目的とする。
【課題を解決するための手段】
【０００８】
上記課題を解決するために、本発明の自動車運搬船における電力マネジメントシステムおよびこれを備えた自動車運搬船は以下の手段を採用する。
本発明の第１の態様に係る自動車運搬船における電力マネジメントシステムは、自動車用蓄電池を有する自動車を積載して所定の出港地から所定の入港地まで運搬する自動車運搬船における電力マネジメントシステムであって、前記自動車運搬船に設置された船舶用蓄電池の充電量および前記自動車用蓄電池の充電量を監視するとともに、これら船舶用蓄電池および自動車用蓄電池の充電および放電を制御する充放電制御装置と、前記自動車運搬船における需要電力量を監視する需要電力量監視装置と、前記自動車運搬船における発電量を監視する発電量監視装置と、前記自動車運搬船の予定航行経路および現在位置から、該自動車運搬船の前記入港地までの残余航行距離を算出する残余航行距離算出装置と、前記充放電制御装置によって監視された前記船舶用蓄電池および前記自動車用蓄電池の充電量と、前記需要電力量監視装置によって監視された前記自動車運搬船における需要電力量と、前記発電量監視装置によって監視された前記自動車運搬船における発電量と、前記残余航行距離算出装置によって算出された前記残余航行距離とに応じて、前記充放電制御装置に対して前記船舶用蓄電池および前記自動車用蓄電池の充電または放電を行うように指令を発する電力マネジメント装置とを備えている。
【０００９】
この自動車運搬船における電力マネジメントシステムによれば、船舶用蓄電池および自動車用蓄電池の充電量と、自動車運搬船における需要電力量と、自動車運搬船における発電量と、残余航行距離とに応じて、船舶用蓄電池と自動車用蓄電池の充電または放電が行われる。したがって、主として走行用の電力を蓄える蓄電池を有する自動車を積載して運搬する自動車運搬船において、自動車の有する自動車用蓄電池を自動車運搬船の蓄電池の一部として利用しても、自動車運搬船が入港地に到着した時点で、自動車運搬船から自動車を積み降ろすために自動車を自走させる等の目的に必要な充電量が、自動車の有する自動車用蓄電池に確実に残されるようにすることができる。
この結果、自動車運搬船の航行中に、自動車運搬船に積載された自動車の有する自動車用蓄電池を、自動車運搬船の蓄電池の一部として利用することが、支障なく行える。
【００１０】
これにより、自動車運搬船に設置された船舶用蓄電池の蓄電容量が比較的小さくても、自動車運搬船が航行中に使用可能な蓄電容量を十分確保できる。その結果、自動車運搬船における発電量が需要電力量を上回るときに、余剰電力を船舶用蓄電池だけでなく自動車用蓄電池にも蓄えておき、その後自動車運搬船における発電量が需要電力量を下回った時に、船舶用蓄電池とともに自動車用蓄電池にも蓄えておいた電力を使用するようにすることで、電力を非常に効率的に使用することができる。この結果、自動車運搬船に備え付ける発電機の出力や台数も、比較的小さくて済むようになる。
また、自動車運搬船によって運搬される自動車が新品の自動車である場合には、自動車運搬船によって自動車を運搬する間に、自動車の有する自動車用蓄電池の慣らし運転を済ませることができる。
【００１１】
上記自動車運搬船における電力マネジメントシステムにおいては、前記自動車運搬船は、例えば、該自動車運搬船のメインエンジンの排熱を回収して発電する排熱回収発電機を有しており、前記発電量監視装置によって監視される前記自動車運搬船における発電量には、前記排熱回収発電機によって発電された発電量が含まれる。
【００１２】
また、上記自動車運搬船における電力マネジメントシステムにおいては、前記自動車運搬船は、例えば、前記メインエンジンとは独立して構成された内燃機関発電機を有しており、前記発電量監視装置によって監視される前記自動車運搬船における発電量には、前記内燃機関発電機によって発電された発電量が含まれる。
【００１３】
この自動車運搬船における電力マネジメントシステムにおいては、前記内燃機関発電機の発電量を制御する発電量制御装置をさらに備え、前記電力マネジメント装置は、前記充放電制御装置によって監視された前記船舶用蓄電池および前記自動車用蓄電池の充電量と、前記需要電力量監視装置によって監視された前記自動車運搬船における需要電力量と、前記発電量監視装置によって監視された前記自動車運搬船における発電量と、前記残余航行距離算出装置によって算出された前記残余航行距離とに応じて、前記発電量制御装置に対して前記内燃機関発電機の発電量を調整するように指令を発することが好ましい。
【００１４】
この自動車運搬船における電力マネジメントシステムによれば、船舶用蓄電池および自動車用蓄電池の充電量と、自動車運搬船における需要電力量と、自動車運搬船における発電量と、残余航行距離とに応じて、内燃機関発電機の発電量が調整される。したがって、自動車運搬船における需要電力量があまり大きくないときや、船舶用蓄電池および自動車用蓄電池に蓄えられた充電量が十分あるときに、内燃機関発電機による発電量を小さくして、内燃機関発電機による燃料消費量を抑えることができる。
【００１５】
また、上記自動車運搬船における電力マネジメントシステムにおいては、前記自動車運搬船は、例えば、自然エネルギーを利用して発電する自然エネルギー発電機を有しており、前記発電量監視装置によって監視される前記自動車運搬船における発電量には、前記自然エネルギー発電機によって発電された発電量が含まれる。
【００１６】
上記自動車運搬船における電力マネジメントシステムにおいては、前記残余航行距離算出装置によって算出された前記残余航行距離が所定距離よりも大きく、かつ、前記需要電力量監視装置によって監視された前記自動車運搬船における前記需用電力量が所定値を上回っているとき、前記電力マネジメント装置は、前記充放電制御装置に対して、前記船舶用蓄電池および前記自動車用蓄電池の放電を無制限に許可する指令を発することが好ましい。
【００１７】
この構成によれば、自動車運搬船における需要電力量が一時的に大きくなったときに、自動車運搬船に設置された内燃機関発電機等を運転させなくても、船舶用蓄電池および自動車用蓄電池からの放電により需要電力量を賄うことができる。
例えば、自動車運搬船の出港時に、離岸のためスラスターを動作させるような場合に、需要電力量が一時的に非常に大きくなる。このような場合に、船舶用蓄電池および自動車用蓄電池に蓄えられた電力が無制限に放電されるので、内燃機関発電機等を運転させなくても、需要電力量を賄うことができる。
【００１８】
船舶用蓄電池および自動車用蓄電池の放電を無制限に行って、船舶用蓄電池および自動車用蓄電池の充電量がたとえ０に近くなっても、自動車運搬船の残余航行距離が所定距離よりも大きいので、その後の自動車運搬船の航行中に、メインエンジンの排熱を回収して発電する排熱回収発電機等によって得られる電力により、船舶用蓄電池および自動車用蓄電池の充電量を回復することが十分可能である。
【００１９】
上記自動車運搬船における電力マネジメントシステムにおいては、前記残余航行距離算出装置によって算出された前記残余航行距離が所定距離よりも大きく、かつ、前記需要電力量監視装置によって監視された前記自動車運搬船における前記需用電力量が所定値を上回っているとき、前記電力マネジメント装置は、前記充放電制御装置に対して、前記船舶用蓄電池および前記自動車用蓄電池の放電を、前記船舶用蓄電池の放電を前記自動車用蓄電池の放電よりも優先しつつ、無制限に許可する指令を発することが、特に好ましい。
【００２０】
また、上記自動車運搬船における電力マネジメントシステムにおいては、前記残余航行距離算出装置によって算出された前記残余航行距離が前記所定距離よりも大きく、かつ、前記電力マネジメント装置が、前記充放電制御装置に対して、前記船舶用蓄電池および前記自動車用蓄電池を充電する指令を発するときは、前記船舶用蓄電池の充電を前記自動車用蓄電池の充電よりも優先して行うようにすることが好ましい。
【００２１】
自動車運搬船の運航者は、一般的には、自動車メーカー、自動車販売会社や、フェリー船客から自動車の輸送委託を受けて、自動車を運搬すると考えられる。この場合、自動車運搬船の運航者が、自動車運搬船に積載される自動車の有する自動車用蓄電池を使用するにあたっては、自動車の所有者・管理者の承諾を受ける必要がある。
上記構成によれば、船舶用蓄電池の放電・充電が、自動車用蓄電池の放電・充電よりも優先して行われる。このように、自動車用蓄電池の放電・充電を、船舶用蓄電池の放電・充電に比べて抑えることにより、自動車用蓄電池が放電・充電によって受ける影響を小さく抑えることができる。したがって、自動車運搬船の運航者が、自動車運搬船に積載される自動車の有する自動車用蓄電池を使用するにあたり、自動車の所有者・管理者の承諾を受けやすくなる。
【００２２】
上記自動車運搬船における電力マネジメントシステムにおいては、前記自動車運搬船は、電力により駆動されて前記メインエンジンを加勢する軸発電機モータを有しており、前記残余航行距離算出装置によって算出された前記残余航行距離が０よりは十分大きく、前記発電量監視装置によって監視された前記自動車運搬船における発電量が、前記需要電力量監視装置によって監視された前記自動車運搬船における前記需用電力量を上回り、かつ、前記船舶用蓄電池および前記自動車用蓄電池の充電量が上限に達しているとき、前記電力マネジメント装置は、前記軸発電機モータを作動させることによって前記需要電力量を増加させ、該需要電力量を前記自動車運搬船における発電量と釣り合わせることが好ましい。
【００２３】
この構成によれば、残余航行距離算出装置によって算出された残余航行距離が０よりは十分大きいので、自動車運搬船は巡航中でありまだ入港地における接岸作業を開始していないと判断される。また、発電量監視装置によって監視された自動車運搬船における発電量が、需要電力量監視装置によって監視された自動車運搬船における需用電力量を上回っており、余剰電力が発生している。しかし、船舶用蓄電池および自動車用蓄電池の充電量が上限に達しているので、余剰電力を船舶用蓄電池および自動車用蓄電池の充電に充当することができない。そこで、この余剰電力を、軸発電機モータの運転に充当することで、自動車運搬船をより高速に航行させ、あるいはメインエンジンの必要出力の一部を負担することによってメインエンジンの出力を相対的に低下させて、自動車運搬船における発電量を効率的に使用することができる。
【００２４】
上記自動車運搬船における電力マネジメントシステムにおいては、前記残余航行距離算出装置によって算出された前記残余航行距離が前記所定距離以下であるが０よりは十分大きいとき、前記電力マネジメント装置は、前記充放電制御装置に対して、前記船舶用蓄電池および前記自動車用蓄電池の放電を禁止し、前記船舶用蓄電池および前記自動車用蓄電池を専ら充電する指令を発することが好ましい。
【００２５】
入港地において、自動車運搬船からの自動車の積み降ろしを実施する際には、自動車の有する自動車用蓄電池には、所定の下限充電量を上回る充電量を残しておく必要がある。特に、自動車が電気自動車である場合には、自動車の有する自動車用蓄電池に残された電力を利用して自動車を自走させることで、自動車運搬船からの積み降ろしを実施する。
また、上記のように、自動車運搬船の運航者は、一般的には、自動車メーカー、自動車販売会社や、フェリー船客から自動車の輸送委託を受けて、自動車を運搬すると考えられる。したがって、自動車運搬船が入港地に到着した時点で、自動車の有する自動車用蓄電池には、自動車を出港地において積み込んだ時点での充電量と同等以上の充電量を残しておくことが望まれる。
【００２６】
本構成によれば、残余航行距離算出装置によって算出された残余航行距離が所定距離以下であるが０よりは十分大きく、自動車運搬船が入港地に接近しつつあるがまだ入港地における接岸作業を開始していないと判断される場合に、船舶用蓄電池および自動車用蓄電池の放電を禁止し、船舶用蓄電池および自動車用蓄電池を専ら充電する。したがって、自動車運搬船が入港地に到着した時点で、自動車用蓄電池に残された充電量が所定の下限充電量を確実に上回るようにすることができる。
また、自動車運搬船の入港時に、接岸のためスラスターを動作させるような場合に、需要電力量が一時的に大きくなる。本構成によれば、このスラスターの動作に必要な電力が、自動車運搬船が入港地に到着する前に、船舶用蓄電池と自動車用蓄電池とに予め蓄えられる。したがって、自動車運搬船の接岸作業におけるスラスターの動作時に、内燃機関発電機等による発電量を比較的小さく抑えることができる。この結果、内燃機関発電機等による燃料消費量を抑えることができ、電力の使用効率が高められる。
【００２７】
上記自動車運搬船における電力マネジメントシステムにおいては、前記残余航行距離算出装置によって算出された前記残余航行距離が前記所定距離以下であるが０よりは十分大きいとき、前記電力マネジメント装置は、前記充放電制御装置に対して、前記船舶用蓄電池および前記自動車用蓄電池の放電を禁止し、前記船舶用蓄電池および前記自動車用蓄電池の充電を、前記自動車用蓄電池の充電を前記船舶用蓄電池の充電よりも優先しつつ行うように指令を発することが好ましい。
【００２８】
この構成によれば、残余航行距離算出装置によって算出された残余航行距離が所定距離以下であるが０よりは十分大きく、自動車運搬船が入港地に接近しつつあるがまだ入港地における接岸作業を開始していないと判断される場合に、船舶用蓄電池および自動車用蓄電池の放電が禁止され、船舶用蓄電池および自動車用蓄電池の充電が、自動車用蓄電池の充電を船舶用蓄電池の充電よりも優先しつつ行われる。したがって、自動車運搬船が入港地に到着した時点で、自動車用蓄電池に残された充電量が所定の下限充電量を確実に上回るようにすることができる。
【００２９】
上記自動車運搬船における電力マネジメントシステムにおいては、前記残余航行距離算出装置によって算出された前記残余航行距離がほぼ０であり、かつ、前記需要電力量監視装置によって監視された前記自動車運搬船における前記需用電力量が所定値を上回っているとき、前記電力マネジメント装置は、前記充放電制御装置に対して、前記船舶用蓄電池の無制限の放電および前記自動車用蓄電池の充電量が所定の下限充電量に至るまでの放電を許可する指令を発することが好ましい。
【００３０】
この構成によれば、残余航行距離算出装置によって算出された残余航行距離がほぼ０であるので、自動車運搬船が入港地において接岸作業を開始しているか接岸作業を完了して停泊中であると判断される。上記のとおり、自動車運搬船の入港時に、接岸のためスラスターを動作させるような場合には、需要電力量が一時的に大きくなる。本構成によれば、このスラスターの動作に必要な電力を、船舶用蓄電池からの無制限の放電および自動車用蓄電池の充電量を所定の下限充電量に至るまでの放電によって賄うことができ、内燃機関発電機等による発電量を比較的小さく抑えることができる。この結果、内燃機関発電機等による燃料消費量を抑えることができ、電力の使用効率が高められる。
また、自動車用蓄電池からの放電は、自動車用蓄電池の充電量が所定の下限充電量に至るまでの放電に抑えられているので、自動車運搬船が入港地に到着した時点で、自動車の有する自動車用蓄電池に残された充電量が所定の下限充電量を確実に上回るようにすることができる。この自動車用蓄電池に残された電力を利用して、自動車運搬船から自動車を積み降ろすために自動車を自走させること等が行える。
【００３１】
本発明の第２の態様に係る自動車運搬船は、上記のいずれかに記載の自動車運搬船における電力マネジメントシステムを備えている。
【００３２】
この自動車運搬船によれば、上記の電力マネジメントシステムを備えているので、自動車の有する蓄電池を自動車運搬船の蓄電池の一部として利用しても、自動車運搬船が入港地に到着した時点で、自動車運搬船から自動車を積み降ろすために自動車を自走させる等の目的に必要な充電量が、自動車の有する自動車用蓄電池に確実に残されるようにすることができる。
したがって、自動車運搬船の航行中に、自動車運搬船に積載された自動車の有する自動車用蓄電池を、自動車運搬船の蓄電池の一部として利用することが、支障なく行える。
【００３３】
これにより、自動車運搬船に設置された船舶用蓄電池の蓄電容量が比較的小さくても、自動車運搬船が航行中に使用可能な蓄電容量を十分確保できる。その結果、自動車運搬船における発電量が需要電力量を上回るときに、余剰電力を船舶用蓄電池だけでなく自動車用蓄電池にも蓄えておき、その後自動車運搬船における発電量が需要電力量を下回った時に、船舶用蓄電池とともに自動車用蓄電池にも蓄えておいた電力を使用するようにすることで、電力を非常に効率的に使用することができる。この結果、自動車運搬船に備え付ける発電機の出力が比較的小さくて済むようになる。
【発明の効果】
【００３４】
本発明の自動車運搬船における電力マネジメントシステムおよび自動車運搬船によれば、船舶用蓄電池および自動車用蓄電池の充電量と、自動車運搬船における需要電力量と、自動車運搬船における発電量と、残余航行距離とに応じて、船舶用蓄電池と自動車用蓄電池の充電または放電が行われる。したがって、主として走行用の電力を蓄える蓄電池を有する自動車を積載して運搬する自動車運搬船において、自動車の有する自動車用蓄電池を自動車運搬船の蓄電池の一部として利用しても、自動車運搬船が入港地に到着した時点で、自動車運搬船から自動車を積み降ろすために自動車を自走させる等の目的に必要な充電量が、自動車の有する自動車用蓄電池に確実に残されるようにすることができる。
この結果、自動車運搬船の航行中に、自動車運搬船に積載された自動車の有する自動車用蓄電池を、自動車運搬船の蓄電池の一部として利用することが、支障なく行える。
【００３５】
これにより、自動車運搬船に設置された船舶用蓄電池の蓄電容量が比較的小さくても、自動車運搬船が航行中に使用可能な蓄電容量を十分確保できる。その結果、自動車運搬船における発電量が需要電力量を上回るときに、余剰電力を船舶用蓄電池だけでなく自動車用蓄電池にも蓄えておき、その後自動車運搬船における発電量が需要電力量を下回った時に、船舶用蓄電池とともに自動車用蓄電池にも蓄えておいた電力を使用するようにすることで、電力を非常に効率的に使用することができる。この結果、自動車運搬船に備え付ける発電機の出力や台数も、比較的小さくて済むようになる。
【図面の簡単な説明】
【００３６】
【図１】本発明の一実施形態に係る自動車運搬船の概略構成図である。
【図２】本発明の一実施形態に係る自動車運搬船における電力マネジメントシステム、およびこの電力マネジメントシステムによって制御される各機器の構成を示すブロック図である。
【図３】本発明の一実施形態に係る自動車運搬船における電力マネジメントシステムによって制御された電力の需要と供給との関係を示す図表である。
【発明を実施するための形態】
【００３７】
以下に、本発明に係る自動車運搬船における電力マネジメントシステムおよびこれを備えた自動車運搬船の一実施形態について、図面を参照して説明する。
図１には、自動車運搬船１の概略構成が示されている。本実施形態に係る自動車運搬船（Pure Car Carrier：PCC）１は、走行用の自動車用蓄電池２Ｂを有する電気自動車（自動車）２を積載して、所定の出港地から所定の入港地まで運搬する船舶である。
【００３８】
図１に示すように、自動車運搬船１は、この自動車運搬船１内の電力の需要と供給とを調整する電力マネジメントシステム１０と、船舶用蓄電池１Ｂと、自動車運搬船１を推進させるメインエンジン２０と、メインエンジン２０に供給する空気を圧縮する排気タービン過給機２１と、パワータービン（ガスタービン）２３と、蒸気タービン２６と、これらパワータービン２３および蒸気タービン２６に接続され、メインエンジン２０の排熱を回収して発電するタービン発電機（排熱回収発電機）３１と、メインエンジン２０とは独立して構成された２台のディーゼル発電機（内燃機関発電機）３２と、自動車運搬船１の上甲板（暴露甲板）上に設置された太陽光発電パネル（自然エネルギー発電機）３３とを備えている。
【００３９】
タービン発電機３１と、ディーゼル発電機３２と、太陽光発電パネル３３とにより発電された電力は、電力線５１を通じて、自動車運搬船１内において電気自動車２を格納する船倉内の換気を行う通風器（図示せず）や、自動車運搬船１内に設置された照明灯およびコンセント、自動車運搬船１の機関室（図示せず）内に配置された海水ポンプ等の各機器４１、軸発電機モータ４２、スラスター４３等に送られて消費される。
【００４０】
メインエンジン２０は、エンジンコントロールシステム２２によって動作が制御される。また、パワータービン２３、蒸気タービン２６およびタービン発電機２８は、タービンコントロールパネル２７によって動作が制御される。
【００４１】
メインエンジン２０は、例えば低速２サイクルディーゼル機関とされている。
メインエンジン２０の各シリンダの排気ポート（図示せず）は、排気マニホールド（図示せず）と接続されており、排気マニホールドは、排気タービン過給機２１のタービン部２１ａの入口側と接続されるとともに、パワータービン２３の入口側と接続されている。
一方、各シリンダの給気ポート（図示せず）は、給気マニホールド（図示せず）と接続されており、給気マニホールドは、インタークーラとされた空気冷却器（図示せず）を介して排気タービン過給機２１のコンプレッサ部２１ｂと接続されている。
【００４２】
メインエンジン２０の出力軸には軸発電機モータ４２が接続されており、この軸発電機モータ４２にはプロペラ軸を介してスクリュープロペラが取り付けられている。
軸発電機モータ４２は、自動車運搬船１内の余剰電力を得てメインエンジン２０を加勢するモータ運転を行う。また、軸発電機モータ４２は、メインエンジン２０によって駆動されて発電することも可能となっている。
【００４３】
排気タービン過給機２１のタービン部２１ａの下流側には、排ガスエコノマイザ３０が設けられている。この排ガスエコノマイザ３０には、排気タービン過給機２１からの排ガスだけでなく、パワータービン２３からの排ガスも導入されるようになっている。排ガスエコノマイザ３０の熱交換部では、導入された排ガスの熱によって給水管（図示せず）から供給された水が加熱・蒸発されて過熱蒸気が発生する。熱交換部で生成された過熱蒸気は主蒸気として蒸気タービン２６に導入され、また、この蒸気タービン２６で仕事を終えた蒸気は復水器（図示せず）に導かれて水に戻される。復水器にて復水された水は、空気冷却器（図示せず）やメインエンジン２０の壁部を冷却して温められた後、排ガスエコノマイザ３０へ再び供給される。
【００４４】
パワータービン２３は、メインエンジン２０の排気マニホールドから抽気された排ガスによって回転駆動されるようになっている。また、蒸気タービン２６は、排ガスエコノマイザ３０によって生成された蒸気が供給されて回転駆動されるようになっている。
パワータービン２３と蒸気タービン２６とは直列に結合されてタービン発電機３１を駆動するようになっている。蒸気タービン２６の出力軸は、減速機２７およびカップリング（図示せず）を介してタービン発電機３１に接続されている。また、パワータービン２３の出力軸は、減速機２４およびクラッチ２５を介して蒸気タービン２６の入力軸と連結されている。
【００４５】
パワータービン２３の排ガス流れ上流側には、パワータービン２３に導入するガス量を制御するパワータービン用制御弁（排ガス量調整弁）２８が設けられている。また、蒸気タービン２６の蒸気流れ上流側には、蒸気タービン２６に導入する蒸気量を制御する蒸気タービン用制御弁（蒸気量調整弁）２９が設けられている。
パワータービン用制御弁２８および蒸気タービン用制御弁２９は、それぞれの開度がタービンコントロールパネル２７（図２参照）によって制御される。
以上のようにタービン発電機３１は、メインエンジン２０の排ガス（燃焼ガス）の排気エネルギーを回収して動力として駆動されるようになっている。
【００４６】
上記電力マネジメントシステム１０は、自動車運搬船１の機関室内に配置されており、電力線５１および電力マネジメント用通信線５２を通じて、船舶用蓄電池１Ｂ、自動車運搬船１に積載された電気自動車２の自動車用蓄電池２Ｂ、タービン発電機３１、ディーゼル発電機３２、太陽光発電パネル３３、自動車運搬船１内の各機器４１、軸発電機モータ４２、スラスター４３と接続されている。
これにより、電力マネジメントシステム１０は、自動車運搬船１内の各機器４１、軸発電機モータ４２、スラスター４３等による需要電力と、自動車運搬船１における発電量（タービン発電機３１と、ディーゼル発電機３２と、太陽光発電パネル３３とによって発電された発電量）と、船舶用蓄電池１Ｂおよび自動車用蓄電池２Ｂの充電量等とを総合的に判断して、ディーゼル発電機３２の発電量や、船舶用蓄電池１Ｂおよび自動車用蓄電池２Ｂの充電量および放電量等を制御するようになっている。
【００４７】
図２には、電力マネジメントシステム１０、およびこの電力マネジメントシステムによって制御される各機器の構成が示されている。
電力マネジメントシステム１０は、充放電制御装置（例えば、電気自動車２が積載される自動車運搬船１の各デッキごとに設置されている）１１と、需用電力量監視装置１２と、発電制御装置（発電量監視装置、発電量制御装置）１３と、残余航行距離算出装置１４と、電力マネジメント装置１５とを備えている。
【００４８】
充放電制御装置１１は、自動車運搬船１に設置された船舶用蓄電池１Ｂの充電量および自動車用蓄電池２Ｂの充電量を監視するとともに、これら船舶用蓄電池１Ｂおよび自動車用蓄電池２Ｂの充電および放電を制御する。
需要電力量監視装置１２は、自動車運搬船１における需用電力量、具体的には、各機器４１、軸発電機モータ４２、スラスター４３等における需要電力量を監視する。需要電力量監視装置１２は、各機器４１、軸発電機モータ４２、スラスター４３等に接続された電流計および電圧計から得た電流値および電圧値から、需用電力量を得るようになっている。
【００４９】
発電制御装置（発電量監視装置）１３は、自動車運搬船１における発電量、すなわち、タービン発電機３１と、ディーゼル発電機３２と、太陽光発電パネル３３とによって発電された発電量を監視する。
また、発電制御装置（発電量制御装置）１３は、ディーゼル発電機３２の発電量を制御する機能も備えている。
【００５０】
残余航行距離算出装置１４は、自動車運搬船１の予定航行経路および現在位置から、該自動車運搬船１の入港地までの残余航行距離を算出する。
電力マネジメント装置１５は、充放電制御装置１１によって監視された船舶用蓄電池１Ｂおよび自動車用蓄電池２Ｂの充電量と、需要電力量監視装置１２によって監視された自動車運搬船１における需要電力量と、発電制御装置１３によって監視された自動車運搬船１における発電量と、残余航行距離算出装置１４によって算出された残余航行距離とに応じて、充放電制御装置１１に対して船舶用蓄電池１Ｂおよび自動車用蓄電池２Ｂの充電または放電を行うように指令を発する。
【００５１】
電力マネジメント装置１５は、充放電制御装置１１によって監視された船舶用蓄電池１Ｂおよび自動車用蓄電池２Ｂの充電量と、需要電力量監視装置１２によって監視された自動車運搬船１における需要電力量と、発電制御装置１３によって監視された自動車運搬船１における発電量と、残余航行距離算出装置１４によって算出された残余航行距離とに応じて、発電制御装置１３に対してディーゼル発電機３２の発電量を調整するように指令を発する。
【００５２】
以下、自動車運搬船１への電気自動車２の積み込みから、自動車運搬船１の出港、巡航、入港を経て、自動車運搬船１からの電気自動車２の積み降ろしまでの一連の過程における、電力マネジメントシステム１０による制御の一例を説明する。
【００５３】
自動車運搬船１の出港地においては、各電気自動車２が自動車運搬船１に積み込まれ次第、図１に示すように、電気自動車２の自動車用蓄電池２Ｂが、自動車運搬船１の電力線５１および電力マネジメント用通信線５２に、接続ボックス５３を介して接続される。自動車用蓄電池２Ｂの電力線５１および電力マネジメント用通信線５２への接続は、接続ケーブルを用いて有線方式で行ってもよいし、これに変えて、無線充電・通信システムを利用して無線方式で行ってもよい。
自動車運搬船１の運航者は、一般的には、自動車メーカー・販売会社や、フェリー船客から電気自動車２の輸送委託を受けて、電気自動車２を運搬すると考えられるので、上記接続を無線方式で行うと、電気自動車２に直接手を触れる必要がなく、好ましい。
【００５４】
自動車運搬船１の太陽光発電パネル３３は、自動車運搬船１への電気自動車２の積み込みから、自動車運搬船１の出港、巡航、入港を経て、自動車運搬船１からの電気自動車２の積み降ろしに至るまで、天候条件が満たされる限りにおいて、常時発電を行い、自動車運搬船１内に電力を供給する。また、自動車運搬船１の停泊中に陸上の電源が利用可能である場合には、この陸上の電源を自動車運搬船１の電力線５１に接続して利用する。
【００５５】
自動車運搬船１の出港時には、離岸のためスラスター４３を動作させる必要があり、このスラスター４３の動作により、需要電力量が一時的に増大する。しかし、ディーゼル発電機３２で発電することのできる電力量には限りがある。また、環境等の観点から、離岸時に自動車運搬船１のディーゼル発電機３２を運転しないことが求められる場合もある。そこで、自動車運搬船１の出港前の停泊中に、陸上の電源が利用できる場合には、電力マネジメント装置１５は、この陸上の電源から供給される電力および太陽光発電パネル３３によって発電された電力により、船舶用蓄電池１Ｂおよび自動車用蓄電池２Ｂを、前もってそれぞれ定格充電量まで充電させておくよう、充放電制御装置１１に対して指令を発する。
ここで、電力マネジメント装置１５が、充放電制御装置１１に対して、船舶用蓄電池１Ｂおよび自動車用蓄電池２Ｂを充電する指令を発するときは、船舶用蓄電池１Ｂの充電を自動車用蓄電池２Ｂの充電よりも優先して行うようにする。
【００５６】
自動車運搬船１の停泊中に陸上の電源が利用できない場合には、自動車運搬船１内の需要電力は、船舶用充電池１Ｂおよび自動車用蓄電池２Ｂから放電された電力および太陽光発電パネル３３により発電された電力により賄われる。自動車運搬船１内の需要電力量（需用電力量監視装置１２により監視された需用電力量）に対し、船舶用充電池１Ｂおよび自動車用蓄電池２Ｂからの放電量および太陽光発電パネル３３により発電された電力量（発電制御装置１３により監視された発電量）が不足している場合には、電力マネジメント装置１５は、発電制御装置１３を通じて、ディーゼル発電機３２に対し発電を行うように指令を発し、このディーゼル発電機３２によって発電された電力を利用することによって、自動車運搬船１内の所要電力を賄うようにする。
【００５７】
自動車運搬船１への電気自動車２の積み込みが終了すると、メインエンジン２０が起動され、自動車運搬船１が出港する。メインエンジン２０の運転により、メインエンジン２０の排ガスから熱が回収できるようになると、タービン発電機３１によって発電が行われる。
【００５８】
自動車運搬船１の出港時には、上記のとおり、離岸のために自動車運搬船１のスラスター４３を動作させるので、需要電力量が一時的に増大する。
上記残余航行距離算出装置１４によって算出された残余航行距離が所定距離よりも大きく、かつ、需要電力量監視装置１２によって監視された自動車運搬船１における需用電力量が所定値を上回っているとき、電力マネジメント装置１５は、充放電制御装置１１に対して、船舶用蓄電池１Ｂおよび自動車用蓄電池２Ｂの放電を、船舶用蓄電池１Ｂの放電を自動車用蓄電池２Ｂの放電よりも優先しつつ、無制限に許可する指令を発する。上記所定距離は、自動車運搬船１の出港地から入港地までの航行距離に比べて十分に小さく設定されている。
【００５９】
自動車運搬船１の出港直後の離岸作業中においては、残余航行距離算出装置１４によって算出された残余航行距離は上記所定距離よりも大きいので、スラスター４３の動作により、需要電力量監視装置１２によって監視された自動車運搬船１における需用電力量が所定値を上回ると、電力マネジメント装置１５は、充放電制御装置１１に対して、船舶用蓄電池１Ｂおよび自動車用蓄電池２Ｂの放電を無制限に許可する指令を発する。
【００６０】
船舶用蓄電池１Ｂおよび自動車用蓄電池２Ｂからの放電により、船舶用蓄電池１Ｂおよび自動車用蓄電池２Ｂに蓄えられた充電量が減少し、船舶用蓄電池１Ｂおよび自動車用蓄電池２Ｂから放電された電力とタービン発電機３１および太陽電池パネル３３により発電された電力とにより需用電力量が賄えなくなった場合のみ、電力マネジメント装置１５は、発電制御装置１３を通じて、ディーゼル発電機３２に対し発電を行うように指令を発し、このディーゼル発電機３２によって発電された電力を利用することによって、自動車運搬船１内の所要電力を賄うようにする。
【００６１】
自動車運搬船１の離岸が終了すると、スラスター４３が停止され、メインエンジン２０の出力が上げられて、自動車運搬船１は巡航状態に移行する。スラスター４３の停止により、自動車運搬船１内の需用電力量は減少し、メインエンジン２０の出力が上げられることにより、タービン発電機３１による発電量は上昇する。
この結果、自動車運搬船１内の需要電力量（需用電力量監視装置１２により監視された需用電力量）に対し、タービン発電機３１（、ディーゼル発電機３２）および太陽光発電パネル３３により発電された電力量（発電制御装置１３により監視された発電量）が余るようになる。
【００６２】
この場合、電力マネジメント装置１５は、充放電制御装置１１を通じて、船舶用蓄電池１Ｂおよび自動車用蓄電池２Ｂに対し、余剰電力を利用して充電を行うように指令を発する。ここで、自動車運搬船１が巡航状態に移行した直後のように、残余航行距離算出装置１４によって算出された残余航行距離が上記所定距離よりも大きい場合に、電力マネジメント装置１５が、充放電制御装置１１に対して、船舶用蓄電池１Ｂおよび自動車用蓄電池２Ｂを充電する指令を発するときは、船舶用蓄電池１Ｂの充電を自動車用蓄電池２Ｂの充電よりも優先して行うようにする。
船舶用蓄電池１Ｂの充電量が定格充電量に達したら、電力マネジメント装置１５は、充放電制御装置１１を通じて、自動車用蓄電池２Ｂに対し充電を行うように指令を発する。この際、複数台の電気自動車２がそれぞれ有する自動車用蓄電池２Ｂのうち、充電量が所定の下限充電量以下である自動車用蓄電池２Ｂを優先的に充電するようにする。
【００６３】
自動車運搬船１が巡航状態に移行する前には、上記のように、船舶用蓄電池１Ｂおよび自動車用蓄電池２Ｂからの放電が無制限に行われて、船舶用蓄電池１Ｂおよび自動車用蓄電池２Ｂに蓄えられた充電量が少なくなっている。しかし、自動車運搬船１が巡航状態に移行した後は、このようにメインエンジン２０の排ガスの熱を利用してタービン発電機３１によって発電された電力を利用することにより、船舶用蓄電池１Ｂおよび自動車用蓄電池２Ｂの充電量を回復することができる。
【００６４】
メインエンジン２０の出力が小さい場合は、蒸気タービン２６やパワータービン２３を動作させるのに十分な排気エネルギーが得られないため、タービン発電機３１の発電量が小さい。この場合には、電力マネジメント装置１５は、必要に応じて、発電制御装置１３を通してディーゼル発電機３２を運転するように指令を発し、自動車運搬船１内における需用電力量を賄うようにする。２台のディーゼル発電機３２は、自動車運搬船１内の需用電力量の増加に伴い、順に立ち上げるようにする。
【００６５】
メインエンジン２０の出力が所定値以上になると、蒸気タービン２６が起動可能な蒸気量を得ることができる排ガス熱量が得られるので、まず蒸気タービン２６を起動し、次いで、パワータービン２３を起動する。蒸気タービン２６、パワータービン２３が順次起動するにしたがい、２台のディーゼル発電機３２は、順次停止させる。
【００６６】
残余航行距離算出装置１４によって算出された残余航行距離が０よりは十分大きく、発電制御装置１３によって監視された自動車運搬船１における発電量が、需要電力量監視装置１２によって監視された自動車運搬船１における需用電力量を上回り、かつ、船舶用蓄電池１Ｂおよび自動車用蓄電池２Ｂの充電量が上限に達しているとき、電力マネジメント装置１５は、蒸気軸発電機モータ３５を作動させることによって需要電力量を増加させ、自動車運搬船１における需要電力量を発電量と釣り合わせる。あるいは、電力マネジメント装置１５は、発電制御装置１３を通じて、パワータービン用制御弁２８および蒸気タービン用制御弁２９の開度を絞る指令をタービンコントロールパネル２７に対して出力することによって発電量を減少させ、自動車運搬船１における需要電力量を発電量と釣り合わせる。
【００６７】
残余航行距離算出装置１４によって算出された残余航行距離が所定距離以下であるが０よりは十分大きいとき、自動車運搬船１は巡航中であるが、入港地に近づきつつあると判断される。この場合、電力マネジメント装置１５は、充放電制御装置１１に対して、船舶用蓄電池１Ｂおよび自動車用蓄電池２Ｂの放電を禁止し、船舶用蓄電池１Ｂおよび自動車用蓄電池２Ｂの充電を、自動車用蓄電池２Ｂの充電を船舶用蓄電池１Ｂの充電よりも優先しつつ行うように指令を発する。
【００６８】
残余航行距離算出装置１４によって算出された残余航行距離がほぼ０であり、かつ、需要電力量監視装置１２によって監視された自動車運搬船１における需用電力量が所定値を上回っているとき、電力マネジメント装置１５は、充放電制御装置１１に対して、船舶用蓄電池１Ｂの無制限の放電および自動車用蓄電池２Ｂの充電量が所定の下限充電量に至るまでの放電を許可する指令を発する。
【００６９】
自動車運搬船１の入港直前の接岸作業中においては、残余航行距離算出装置１４によって算出された残余航行距離がほぼ０であるので、スラスター４３の動作により、需要電力量監視装置１２によって監視された自動車運搬船１における需用電力量が所定値を上回ると、電力マネジメント装置１５は、充放電制御装置１１に対して、船舶用蓄電池１Ｂの無制限の放電および自動車用蓄電池２Ｂの充電量が所定の下限充電量に至るまでの放電を許可する指令を発する。
【００７０】
船舶用蓄電池１Ｂおよび自動車用蓄電池２Ｂからの放電により、船舶用蓄電池１Ｂおよび自動車用蓄電池２Ｂに蓄えられた充電量が減少し、船舶用蓄電池１Ｂおよび自動車用蓄電池２Ｂから放電された電力とタービン発電機３１および太陽電池パネル３３により発電された電力とにより需用電力量が賄えなくなった場合のみ、電力マネジメント装置１５は、発電制御装置１３を通じて、ディーゼル発電機３２に対し発電を行うように指令を発し、このディーゼル発電機３２によって発電された電力を利用することによって、自動車運搬船１内の所要電力を賄うようにする。
【００７１】
自動車運搬船１の接岸が終了すると、スラスター４３が停止され、メインエンジン２０も停止される。
そして、電気自動車２の自動車用充電池２Ｂの、接続ボックス５３との接続が、順次解除される。さらに、各電気自動車２の自動車用蓄電池２Ｂに蓄えられた下限充電量以上の電力を利用して、電気自動車２を自走させ、順次自動車運搬船１から積み降ろされる。
【００７２】
自動車運搬船１の入港後の停泊中に、陸上の電源が利用できる場合には、この陸上の電源を自動車運搬船１の電力線１５に接続して利用する。
自動車運搬船１の停泊中に陸上の電源が利用できない場合には、自動車運搬船１内の需要電力は、船舶用充電池１Ｂから放電された電力および太陽光発電パネル３３により発電された電力により賄われる。自動車運搬船１内の需要電力量（需用電力量監視装置１２により監視された需用電力量）に対し、船舶用充電池１Ｂからの放電量および太陽光発電パネル３３により発電された電力量（発電制御装置１３により監視された発電量）が不足している場合には、電力マネジメント装置１５は、発電制御装置１３を通じて、ディーゼル発電機３２に対し発電を行うように指令を発し、このディーゼル発電機３２によって発電された電力を利用することによって、自動車運搬船１内の所要電力を賄うようにする。
【００７３】
以上の通り、本実施形態の自動車運搬船１における電力マネジメントシステム１０および自動車運搬船１によれば、船舶用蓄電池１Ｂおよび自動車用蓄電池２Ｂの充電量と、自動車運搬船１における需要電力量と、自動車運搬船１における発電量と、残余航行距離とに応じて、船舶用蓄電池１Ｂと自動車用蓄電池２Ｂの充電または放電が行われる。したがって、主として走行用の電力を蓄える蓄電池を有する電気自動車２を積載して運搬する自動車運搬船１において、電気自動車２の有する蓄電池を自動車運搬船１の蓄電池の一部として利用しても、自動車運搬船１が入港地に到着した時点で、自動車運搬船１から電気自動車２を積み降ろすために電気自動車２を自走させる等の目的に必要な充電量が、電気自動車２の有する自動車用蓄電池２Ｂに確実に残されるようにすることができる。
この結果、自動車運搬船１の運航中に、自動車運搬船１に積載された電気自動車２の有する自動車用蓄電池２Ｂを、自動車運搬船１の蓄電池の一部として利用することが、支障なく行える。
【００７４】
これにより、自動車運搬船１に設置された船舶用蓄電池１Ｂの蓄電容量が比較的小さくても、自動車運搬船１が航行中に使用可能な蓄電容量を十分確保できる。その結果、自動車運搬船１における発電量が需要電力量を上回るときに、余剰電力を船舶用蓄電池１Ｂだけでなく自動車用蓄電池２Ｂにも蓄えておき、その後自動車運搬船１における発電量が需要電力量を下回った時に、船舶用蓄電池１Ｂとともに自動車用蓄電池２Ｂにも蓄えておいた電力を使用するようにすることで、電力を非常に効率的に使用することができる。この結果、自動車運搬船１に備え付けるディーゼル発電機３２の出力や台数も、比較的小さくて済むようになる。
また、自動車運搬船１によって運搬される電気自動車２が新品の自動車である場合には、自動車運搬船１によって電気自動車２を運搬する間に、電気自動車２の有する自動車用蓄電池２Ｂの慣らし運転を済ませることができる。
【００７５】
また、本実施形態の自動車運搬船１における電力マネジメントシステム１０および自動車運搬船１によれば、船舶用蓄電池１Ｂおよび自動車用蓄電池２Ｂの充電量と、自動車運搬船１における需要電力量と、自動車運搬船１における発電量と、残余航行距離とに応じて、ディーゼル発電機３２の発電量が調整される。したがって、自動車運搬船１における需要電力量があまり大きくないときや、船舶用蓄電池１Ｂおよび自動車用蓄電池２Ｂに蓄えられた充電量が十分あるときに、ディーゼル発電機３２による発電量を小さくして、ディーゼル発電機３２による燃料消費量を抑えることができる。
【００７６】
また、本実施形態の自動車運搬船１における電力マネジメントシステム１０および自動車運搬船１によれば、自動車運搬船１における需要電力量が一時的に大きくなったときに、自動車運搬船１に設置されたディーゼル発電機３２等を運転させなくても、船舶用蓄電池１Ｂおよび自動車用蓄電池２Ｂからの放電により需要電力量を賄うことができる。
例えば、自動車運搬船１の出港時に、離岸のためスラスター４３を動作させるような場合に、需要電力量が一時的に非常に大きくなる。このような場合に、船舶用蓄電池１Ｂおよび自動車用蓄電池２Ｂに蓄えられた電力が無制限に放電されるので、ディーゼル発電機３２を運転しなくても、需要電力量を賄うことができる。
【００７７】
船舶用蓄電池１Ｂおよび自動車用蓄電池２Ｂの放電を無制限に行って、船舶用蓄電池１Ｂおよび自動車用蓄電池２Ｂの充電量がたとえ０に近くなっても、自動車運搬船１の残余航行距離が所定距離よりも大きいので、その後の自動車運搬船１の航行中に、メインエンジン２０の排熱を回収して発電するタービン発電機３１等によって得られる電力により、船舶用蓄電池１Ｂおよび自動車用蓄電池２Ｂの充電量を回復することが十分可能である。
【００７８】
また、上記のように、自動車運搬船１の運航者は、一般的には、自動車メーカー・販売会社や、フェリー船客から自動車の輸送委託を受けて、電気自動車２を運搬すると考えられる。この場合、自動車運搬船１の運航者が、自動車運搬船１に積載される電気自動車２の有する自動車用蓄電池２Ｂを使用するにあたっては、電気自動車２の所有者・管理者の承諾を受ける必要がある。
本実施形態の自動車運搬船１における電力マネジメントシステム１０および自動車運搬船１によれば、船舶用蓄電池１Ｂの放電・充電が、自動車用蓄電池２Ｂの放電・充電よりも優先して行われる。このように、自動車用蓄電池２Ｂの放電・充電を、船舶用蓄電池１Ｂの放電・充電に比べて抑えることにより、自動車用蓄電池２Ｂが放電・充電によって受ける影響を小さく抑えることができる。したがって、自動車運搬船１の運航者が、自動車運搬船１に積載される電気自動車２の有する自動車用蓄電池２Ｂを使用するにあたり、電気自動車２の所有者・管理者の承諾を受けやすくなる。
【００７９】
また、本実施形態の自動車運搬船１における電力マネジメントシステム１０および自動車運搬船１によれば、残余航行距離算出装置１４によって算出された残余航行距離が０よりは十分大きく、自動車運搬船１は巡航中でありまだ入港地における接岸作業を開始していないと判断され、また、発電制御装置１３によって監視された自動車運搬船１における発電量が、需要電力量監視装置１２によって監視された自動車運搬船１における需用電力量を上回っていて、余剰電力が発生しており、さらに、船舶用蓄電池１Ｂおよび自動車用蓄電池２Ｂの充電量が上限に達していて、余剰電力を船舶用蓄電池１Ｂおよび自動車用蓄電池２Ｂの充電に充当することができない場合に、この余剰電力を、軸発電機モータの運転に充当することで、自動車運搬船１をより高速に航行させ、あるいはメインエンジン２０の必要出力の一部を負担することによってメインエンジン２０の出力を相対的に低下させて、自動車運搬船１における発電量を効率的に使用することができる。
【００８０】
入港地においては、自動車運搬船１からの自動車の積み降ろしを実施するために、自動車の有する蓄電池には、下限充電量を上回る電力を蓄電しておく必要がある。特に、電気自動車２は、自動車用蓄電池２Ｂに充電された電力を利用して自走させることで、自動車運搬船１からの積み降ろしを実施する。
また、上記のように、自動車運搬船１の運航者は、一般的には、自動車メーカー、自動車販売会社や、フェリー船客から輸送委託を受けて、電気自動車２を運搬すると考えられる。したがって、自動車運搬船１が入港地に到着した時点で、電気自動車２の有する自動車用蓄電池２Ｂには、電気自動車２を出港地において積み込んだ時点での充電量と同等以上の充電量を充電しておくことが望まれる。
【００８１】
本実施形態の自動車運搬船１における電力マネジメントシステム１０および自動車運搬船１によれば、残余航行距離算出装置１４によって算出された残余航行距離が所定距離以下であるが０よりは十分大きく、自動車運搬船１が入港地に接近しつつあるがまだ入港地における接岸作業を開始していないと判断される場合に、船舶用蓄電池１Ｂおよび自動車用蓄電池２Ｂの放電を禁止し、船舶用蓄電池１Ｂおよび自動車用蓄電池２Ｂを専ら充電する。したがって、自動車運搬船１が入港地に到着した時点で、自動車用蓄電池２Ｂに残された充電量が所定の下限充電量を確実に上回るようにすることができる。
また、自動車運搬船１の入港時に、接岸のためスラスター４３を動作させるような場合に、需要電力量が一時的に大きくなる。本実施形態の自動車運搬船１における電力マネジメントシステム１０および自動車運搬船１によれば、スラスター４３の動作に必要な電力が、自動車運搬船１が入港地に到着する前に、船舶用蓄電池１Ｂと自動車用蓄電池２Ｂとに予め蓄えられる。したがって、自動車運搬船１の接岸作業におけるスラスター４３の動作時に、ディーゼル発電機３２による燃料消費量を抑えることができ、電力の使用効率が高められる。
【００８２】
また、本実施形態の自動車運搬船１における電力マネジメントシステム１０および自動車運搬船１によれば、残余航行距離算出装置１４によって算出された残余航行距離が所定距離以下であるが０よりは十分大きく、自動車運搬船１が入港地に接近しつつあるがまだ入港地における接岸作業を開始していないと判断される場合に、船舶用蓄電池１Ｂおよび自動車用蓄電池２Ｂの放電が禁止され、船舶用蓄電池１Ｂおよび自動車用蓄電池２Ｂの充電が、自動車用蓄電池２Ｂの充電を船舶用蓄電池１Ｂの充電よりも優先しつつ行われる。したがって、自動車運搬船１が入港地に到着した時点で、自動車用蓄電池２Ｂに残された充電量が所定の下限充電量を確実に上回るようにすることができる。
【００８３】
また、本実施形態の自動車運搬船１における電力マネジメントシステム１０および自動車運搬船１によれば、残余航行距離算出装置１４によって算出された残余航行距離がほぼ０であって、自動車運搬船１が前記入港地において接岸作業を開始していると判断され、かつ、接岸のためスラスター４３を動作させて、需要電力量が一時的に大きくなった場合に、この需要電力量を、船舶用蓄電池１Ｂからの無制限の放電および自動車用蓄電池２Ｂの充電量が所定の下限充電量に至るまでの放電によって賄うことができる。この結果、ディーゼル発電機３２による燃料消費量を抑えることができ、電力の使用効率が高められる。
また、自動車用蓄電池２Ｂからの放電は、自動車用蓄電池２Ｂの充電量が所定の下限充電量に至るまでの放電に抑えられているので、自動車運搬船１が入港地に到着した時点で、電気自動車２の有する自動車用蓄電池２Ｂに残された充電量が所定の下限充電量を確実に上回るようにすることができる。この自動車用蓄電池２Ｂに残された電力を利用して、自動車運搬船１から電気自動車２を積み降ろすために、電気自動車２を自走させることができる。
【００８４】
以上、本発明の一実施形態について図面を参照して詳述してきたが、具体的な構成はこの実施形態に限られるものではなく、本発明の要旨を逸脱しない範囲の設計変更等も含まれる。例えば、本発明における自然エネルギー発電装置として、上記太陽電池パネル３３に代えて、例えば風力発電装置等を用いることができる。また、自動車運搬船１によって運搬される自動車は、蓄電池を有するものであればよく、電気自動車２に代えて、例えばハイブリッド自動車等であってもよい。
【符号の説明】
【００８５】
１  自動車運搬船
１Ｂ  船舶用蓄電池
２  自動車（電気自動車）
２Ｂ  自動車用蓄電池
１０  電力マネジメントシステム
１１  充放電制御装置
１２  需要電力量監視装置
１３  発電量監視装置、発電量制御装置（発電制御装置）
１４  残余航行距離算出装置
１５  電力マネジメント装置
２０  メインエンジン
３１  排熱回収発電機（タービン発電機）
３２  内燃機関発電機（ディーゼル発電機）
３３  自然エネルギー発電機（太陽光発電パネル）
４２  軸発電機モータ
【図１】
0005455765.tif 000002
【図２】
0005455765.tif 000003
【図３】
0005455765.tif 000004